(57)【要約】【課題】意図しない接触による吸殻などの飛散事故を防止し、また清掃や回収等の作業も容易に行うことができる等の遊技機用の灰皿を提供する。【解決手段】タバコの吸殻などを溜める凹部（６１）を有する灰皿本体（６０）が、受皿部材（４）に形成した灰皿収容部（５０）に対して挿入及び離脱する方向に往復動し、かつ回動可能に設けられている。また、灰皿本体を若干傾斜させた初期位置で互いに弾性摺接する節度手段（８６ａ、７６ｂ）を設けたことにより、作業者等が灰皿本体に対して意図的に回動操作をしない限りその回動が抑制された状態にある。これにより、不意の接触による吸殻等の飛散事故を防止するとともに、その内容物の回収作業も容易に行うことができる。【選択図】図８
2008079811.tif 000002
【特許請求の範囲】
【請求項１】
遊技機の前面部に形成された収容部内に、開口凹部を有する灰皿本体が回動可能に収容される遊技機用灰皿であって、
前記開口凹部が上面となる前記灰皿本体の水平位置ないしは水平から若干回動する位置において当該灰皿本体の回動動作を抑制する節度手段が設けられていることを特徴とする遊技機用灰皿。
【請求項２】
前記節度手段は、前記灰皿本体の回動軸方向少なくとも一方の側面部において所定の回動半径位置に形成された第１突起部と、
当該灰皿本体を回動可能に軸支する軸支部材に形成され、前記灰皿本体が水平位置ないしは水平から若干回動する位置で前記第１突起部に弾性当接する第２突起部と、を備えてなることを特徴とする請求項１に記載の遊技機用灰皿。
【請求項３】
前記軸支部材は、前記灰皿本体を前記収容部へ挿入及び離脱させる方向に往復連動するように設けられ、
前記灰皿本体が前記収容部へ挿入される方向に前記軸支部材を常時付勢する付勢手段と、
前記灰皿本体が前記収容部に挿入された水平位置で当該灰皿本体を係止する係止手段とを備え、
前記灰皿本体を前記収容部から所定距離だけ離脱させる方向に引き出したとき、前記係止手段による係止状態が解除され当該灰皿本体の回動を許容することを特徴とする請求項２に記載の遊技機用灰皿。
【発明の詳細な説明】
【技術分野】
【０００１】
本発明はパチンコやスロットマシン等の遊技機において、タバコの吸殻や灰などの回収が容易となるように回動可能に取り付けた灰皿構造に関する。
【背景技術】
【０００２】
パチンコやスロットマシン等の遊技機の前面下方部には、遊技者の遊技中のタバコの喫煙に供するための灰皿が設けられている。
【０００３】
一般的にかかる遊技機の灰皿は、遊技機に完全に固定してしまうと溜まった吸殻や灰などの回収や清掃作業が煩雑になるため、灰皿本体が遊技機の前扉等に形成した収容部に回動可能に支持されている。
【０００４】
すなわち、遊技者が灰皿を使用するときには、灰皿本体を前記収容部に収容した状態にして吸殻や灰などを溜めておき、清掃に際しては溜めた吸殻などが自然落下する位置に灰皿本体を回動反転させることにより回収する。そして、内容物を回収した後、灰皿本体を逆方向に戻すことにより、再び使用可能な位置に復帰できるように構成されている。このような遊技機用の灰皿に関する従来技術については、例えば特許文献１などに開示されている。
【０００５】
【特許文献１】特許第２７００１９９号公報
【発明の開示】
【発明が解決しようとする課題】
【０００６】
しかし、従来の灰皿構造は、灰皿本体の清掃や吸殻などの回収作業の利便性を考慮して、灰皿本体が使用時の位置から回収時の位置へ容易に回動可能になっているために、例えば遊技者が遊技中に足を組む若しくは手で受皿の遊技媒体を操作しようとしたときまたは遊技店の作業者が灰皿の清掃をするときなどに、意図せずして膝や手指などの体の一部が灰皿に触れて吸殻や灰などを撒き散らしてしまうという課題があった。
【０００７】
本発明は、こうした課題を解決するためになされたものであり、遊技者や作業者が意図せずして灰皿本体を回動させることによる事故を防止し、また吸殻や灰などの回収も容易に行うことができる等の遊技機用の灰皿を提供することを目的としている。
【課題を解決するための手段】
【０００８】
上述した課題を解決するためになされた請求項１に記載の発明は、遊技機の前面部に形成された収容部内に、開口凹部を有する灰皿本体が回動可能に収容される遊技機用灰皿であって、前記開口凹部が上面となる前記灰皿本体の水平位置ないしは水平から若干回動する位置において当該灰皿本体の回動動作を抑制する節度手段が設けられていることを特徴とする。
【０００９】
請求項１に記載の遊技機用灰皿によれば、灰皿本体が水平位置ないしは水平から若干回動する初期位置にあるときに、節度手段が当該灰皿本体の回動動作を抑制する。すなわち、作業者等が意図的に回動操作をしない限り灰皿本体はその回動が抑制された状態にあるために、意図しない接触等による吸殻などの飛散事故を効果的に防ぐことができる。
【００１０】
請求項２に記載の発明は、請求項１に記載の遊技機用灰皿であって、前記節度手段は、前記灰皿本体の回動軸方向少なくとも一方の側面部において所定の回動半径位置に形成された第１突起部と、当該灰皿本体を回動可能に軸支する軸支部材に形成され、前記灰皿本体が水平位置ないしは水平から若干回動する位置で前記第１突起部に弾性当接する第２突起部と、を備えてなることを特徴とする。
【００１１】
請求項２に記載の遊技機用灰皿によれば、灰皿本体の側面部に形成された第１突起部が当該灰皿本体と一体的に回動し、当該灰皿本体を軸支する軸支部材に形成された第２突起部が、当該灰皿本体が水平位置ないしは水平から若干回動する初期位置にあるときに第１突起部に弾性当接する。このように第１突起部と第２突起部とが弾性当接することで、灰皿本体を回動操作するに際し上述の所定の回動位置で節度感を生じさせる。これにより、作業者等が意図的に回動操作をしない限り灰皿本体はその回動が抑制された状態にあり、したがって意図しない接触等による吸殻などの飛散事故を効果的に防ぐことができる。
【００１２】
請求項３に記載の発明は、請求項２に記載の遊技機用灰皿であって、前記軸支部材は、前記灰皿本体を前記収容部へ挿入及び離脱させる方向に往復連動するように設けられ、前記灰皿本体が前記収容部へ挿入される方向に前記軸支部材を常時付勢する付勢手段と、前記灰皿本体が前記収容部に挿入された水平位置で当該灰皿本体を係止する係止手段とを備え、前記灰皿本体を前記収容部から所定距離だけ離脱させる方向に引き出したとき、前記係止手段による係止状態が解除され当該灰皿本体の回動を許容することを特徴とする。
【００１３】
請求項３に記載の遊技機用灰皿によれば、付勢手段が軸支部材を介して灰皿本体を収容部へ挿入させる方向に常時付勢し、灰皿本体が収容部に挿入された使用可能な水平位置で係止手段が当該灰皿本体を係止する。そして、灰皿本体が収容部から所定距離だけ引き出されると、係止手段による係止状態が解除され当該灰皿本体の回動を許容する。すなわち、灰皿の使用時においては、灰皿本体が収容部内で係止された状態にあるため、遊技者が誤って灰皿本体を反転させるような事故を防ぐことができる。また、灰皿の清掃等に際しても、作業者等は灰皿本体を収容部から所定距離だけ引き出した後、若干の回動操作力を加え反転させる手順のみで、吸殻などの内容物の回収を容易に行うことができる。
【発明の効果】
【００１４】
本発明に係る遊技機用灰皿によれば、収容部内に回動可能に取り付けられている灰皿本体に対し、その略水平の初期位置で回動を抑制する節度手段を設けたので、遊技者や清掃等の作業者が意図的に回動操作しない限り、灰皿本体は回動が抑制された状態にある。したがって、灰皿本体に体の一部を接触させる等の意図しない回動によってタバコの吸殻などを飛散させるような事故を効果的に防ぐことができる。
【００１５】
また、灰皿の清掃等に際しても、作業者等は灰皿本体を収容部から所定距離だけ引き出した後、若干の回動操作力を加え反転させる手順のみで、吸殻などの内容物を容易に回収することができる。
【発明を実施するための最良の形態】
【００１６】
以下、本発明の好適な実施形態を図面を参照して説明する。まず、図１は本発明に関わる遊技機の例であるスロットマシン１の外観を表した斜視図である。
【００１７】
スロットマシン１は、遊技者に面する側にいわゆるフロントマスクが形成された前扉２が略矩形状の箱体である筐体３の開口に対し図示しない蝶番機構により開閉可能に取り付けられている。フロントマスクは、上から上パネル部、中パネル部、下パネル部に概ね分けられ、これらは化粧板として視覚効果を高めてデザインされた硬質プラスチックにより一体的に形成されている。また、下パネル部の下方には、メダルを貯留するための受け皿４ａが一体的に形成されるとともに受け皿４ａに隣接して、遊技者の喫煙に供するための灰皿５が設けられた受皿部材４が取り付けられている。
【００１８】
上パネル部には、高輝度の発光ダイオード（ＬＥＤ）を内蔵した上部ランプ６ａ及びコーナランプ６ｂ、６ｃ等の効果ランプが配置され、リーチや大当たり等の際に点灯または点滅して遊技者の視覚に訴える演出を行っている。また、上パネル部の左右位置には、それぞれスピーカを内蔵した放音部７ａ、７ｂが設けられ、効果音や楽音等によるゲームの演出を行っている。更に、各放音部７ａ、７ｂに挟まれる中央位置には、液晶表示ユニットを配した画像表示部８が形成されている。
【００１９】
なお、画像表示部８においては、ゲームの進行に応じて適宜選択される動画像を表示して当該ゲームにストーリー性を与えたり、また、ボーナスゲーム等の大当たりの際には、よりダイナミックな画像が表示されて、遊技者に高配当の期待感を引き起こしたりする等の演出を行っている。
【００２０】
中段の中パネル部には、長方形の透明な表示窓９ａが形成されたアクリル製の中パネル板９が取り付けられている。そして、この表示窓９ａを通して、筐体内に設けられている円筒状の３個のリール１０ａ、１０ｂ、１０ｃを遊技者が目視できるように構成されている。なお、各リール１０ａ、１０ｂ、１０ｃの周面には、複数の異なる種類を含む例えば２１個の図柄（図示略）がほぼ等間隔で配列され、表示窓９ａに臨む縦３個、横３列の図柄が当該表示窓を通して遊技者に視認されるようになっている。
【００２１】
中パネル板９の下方には、前方に若干突出した操作卓と呼ばれる卓状部が形成され、ここには、ゲームに使用するメダルを投入するための投入口を有するメダル投入部１１と、ゲームの操作を指示するためのベットボタン１２と、スタートレバー１３と、３個のストップボタン１４ａ、１４ｂ、１４ｃ等が配設されている。
【００２２】
ベットボタン１２は、ゲームに賭けるメダルの枚数を提示するための押圧式のボタンスイッチである。スタートレバー１３は、リール１０ａ、１０ｂ、１０ｃを一斉に回転させる指示をするためのレバースイッチであり、先端に球形の操作ノブを有するレバーを上下左右の何れかの方向に傾倒操作するとオン作動し、レバーから手が離されるとスプリングの付勢力によって自動的に元の位置に戻ってオフ作動するように構成されている。ストップボタン１４ａ、１４ｂ、１４ｃは、各リール１０ａ、１０ｂ、１０ｃの回転停止を個別に指示するための押圧式のボタンスイッチであり、各リールの配列に対応してそれぞれ並設されている。
【００２３】
フロントマスクの下パネル部を構成する下パネル１５には、スロットマシン１のモデルタイプ等を遊技者へ認識させるための、例えば登場キャラクターの絵柄（図示略）などが印刷されて表示されている。
【００２４】
前扉２の最下部に取り付けられた受皿部材４には、灰皿５と、メダルを受け皿４ａへ払い出すメダル払出口１６と、スピーカを内蔵しゲームの進行に応じて演出効果音を発生させる放音部１７ａ、１７ｂとがそれぞれ配設されている。
【００２５】
かかる構造のスロットマシン１は、先のゲームにおいて入賞しメダルの払い出しが完了した時、または先のゲームにおいてハズレが確定すると待機状態となる。この状態において、遊技者がメダル投入部１１よりメダルを投入すると、そのメダルがクレジットに加算され内部貯留される。この状態で遊技者がベットボタン１２を押圧操作することで、クレジットされたメダルの一部が当該ゲームに賭けられゲームが開始する。そして、遊技者がスタートレバー１３を傾倒操作すると、全てのリール１０ａ、１０ｂ、１０ｃが一斉に回転し、これと同時に入賞役が内部的な処理で乱数抽選される。
【００２６】
次に、遊技者がストップボタン１４ａ、１４ｂ、１４ｃを任意の順番で押圧操作すると、それに従い順次対応するリールが停止し、全てのリール１０ａ、１０ｂ、１０ｃが停止した後、各リールに表示された図柄の組合せと上述の内部抽選した入賞役に係る図柄の組合せとが一致しているか否かが判定される。これらが一致したときには当該入賞が確定し、その入賞役の種類に応じた枚数のメダルがクレジットに加算され配当される。入賞の配当によりクレジットの上限を超える場合には、その超過した枚数分のメダルがメダル払出口１６より受け皿４ａへ払い出される。
【００２７】
このように、スロットマシン１の遊技者は、リール１０ａ、１０ｂ、１０ｃを回転・停止させる遊技操作を行って、表示窓９ａに変動表示した図柄が揃わなければ賭けたメダルを失うが、予め定められた組合せで図柄が揃い入賞が成立すると賭けた枚数以上のメダルを獲得し得るので、技量と運とによりメダルを増やすという興趣を伴った勝敗ゲームを楽しむことができる。
【００２８】
次に、上述のスロットマシン１等において例えばメダルを貯留する受皿部材４に設けられる灰皿５及びその取付構造の実施例を詳細に説明する。ここで、図２は灰皿５の斜め前方から見た場合の分解斜視図、図３はその斜め後方から見た場合の分解斜視図である。
【００２９】
これらの図に示されるように、受皿部材４の前方より向かって左端部には、タバコの吸殻などを溜める灰皿本体６０を回動可能に収容する灰皿収容部５０が形成されている。灰皿収容部５０は、スロットマシン１の受皿部材４に一体形成された背面部５１並びに背面部５１の両側端に略直交する側面部５２ａ、５２ｂ及び背面部５１の下側端に略直交する底面部５３で画成され、全体的には前方及び上方において開放する略直方体状の空間として形成されている。
【００３０】
灰皿収容部５０の各側面部５２ａ、５２ｂと背面部５１の一部には、略水平方向に貫通する長孔である軸アーム収容孔５４ａ、５４ｂが形成されている。軸アーム収容孔５４ａ、５４ｂには、後述する軸支部材７０の軸アーム７２ａ、７２ｂがそれぞれ背面部５１の後方から挿入され、その長手方向に沿って移動可能に配置される。
【００３１】
背面部５１の上部中央には、上端側が後方へ傾斜するテーパ溝５５が形成されている。テーパ溝５５の上端辺は、後述する灰皿本体６０の被係止部６５を挿入させて係止する係止部５６を構成している。灰皿本体６０は、灰皿収容部５０の係止部５６に係止されることで、凹部６１を上面とする使用可能な水平回動位置に保持される。
【００３２】
また、灰皿収容部５０の背面部５１の裏面側には、図３に示されるように軸支部材７０を摺動案内する左右一対の円柱状の案内軸５７ａ、５７ｂが、それぞれ略水平に突出して一体形成されている。また、各案内軸５７ａ、５７ｂの中間位置には、コイルバネ９０を遊挿させる円柱状のバネ軸５８と、相対向する上下方向にそれぞれ弾性変位可能な一対の規制爪５９ａ、５９ｂとが突出して形成されている。
【００３３】
灰皿本体６０は、耐熱性を有する硬質プラスチックを一体的に成型加工して作成され、吸殻や灰などを溜めるための凹部６１と、その開口縁の前壁部６２にタバコを載置させるタバコ載置溝６２ａと、側壁部６３ａ、６３ｂの外側面に後述する軸支部材７０の支軸７５ａ、７５ｂを支承する軸受部６４ａ、６４ｂと、凹部６１の開口縁後方部の一部が延出する被係止部６５とを有している。
【００３４】
なお、左右の軸受部６４ａ、６４ｂは、各側壁部６３ａ、６３ｂの外面において後方側の半分が開口する略半円の軸受面を有して凸設されている。すなわち、後述する軸支部材７０の支軸７５ａ、７５ｂを後方から各軸受部６４ａ、６４ｂにスライド係合させた後、この開口部を塞ぐように後述する軸保持部材８０を灰皿本体６０の底部にネジ止めすることで、支軸７５ａ、７５ｂが軸受部６４ａ、６４ｂに支承された状態で外れ止めされる構造となっている。
【００３５】
また、灰皿本体６０の各側壁部６３ａ、６３ｂには、上述の軸保持部材８０を所定位置に位置合わせして保持するための位置合せ突起６６ａ、６６ｂが凸設形成されている。
【００３６】
軸支部材７０は、略長方形で横長板状の基板部７１と、基板部７１に直交し所定間隔をおいて互いに並行する長尺の軸アーム７２ａ、７２ｂとを有し、全体的に略コ字状に硬質プラスチックにより一体形成されている。この軸支部材７０の基板部７１には、上述の案内軸５７ａ、５７ｂを摺動可能に挿通させる挿通孔を有する案内軸挿通部７３ａ、７３ｂが、対応する位置にそれぞれ一体形成されている。また、基板部７１の中央には上述のバネ軸５８を挿通させるバネ軸挿通部７４が形成されている。
【００３７】
各軸アーム７２ａ、７２ｂの内側面でそれぞれの先端近くには、互いに対向する支軸７５ａ、７５ｂが各軸線を一致させて一体形成されている。また、各軸アーム７２ａ、７２ｂの内側面で支軸７５ａ、７５ｂよりも基板部７１側の相対向する所定位置には、横長矩形状に若干突起する回動抑制突起７６ａ、７６ｂが一体形成されている。また、軸支部材７０は、その外周に沿ってリブ７７が連続して形成されることにより、軸アーム７２ａ、７２ｂが容易には拡開しないように適度の剛性が確保されている。
【００３８】
次に軸保持部材８０は、灰皿本体６０の幅に相当する間隔を有して相対向する側板部８２ａ、８２ｂと、各側板部８２ａ、８２ｂの縁端で略直交する基板部８１とを有して、前面視略コ字状に硬質プラスチックにより一体形成されている。また、基板部８１の底面部には、ネジ９１を介して灰皿本体６０に固定するための貫通孔を有するネジ固定部８３が一体形成されている。
【００３９】
それぞれの側板部８２ａ、８２ｂの前側縁には、灰皿本体６０の軸受部６４ａ、６４ｂの開口部を塞ぐ位置に配置されて、軸支部材７０の支軸７５ａ、７５ｂが軸受部６４ａ、６４ｂから外れないように保持するための閉塞突起８４ａ、８４ｂが形成されている。また、各側板部８２ａ、８２ｂの上側縁には、灰皿本体６０の上述した位置合せ突起６６ａ、６６ｂに係合する係合溝８５ａ、８５ｂが切り欠かれて形成されている。また、各側板部８２ａ、８２ｂの後側下方位置には、半球状突起８６ａ、８６ｂが凸設形成されている。
【００４０】
なお、この半球状突起８６ａ、８６ｂは、灰皿本体６０を水平位置から若干回動させたとき、上述した軸支部材７０の回動抑制突起７６ａ、７６ｂに当接し、これらの相対回動動作に伴い、軸保持部材８０の側板部８２ａ、８２ｂ若しくは軸支部材７０の軸アーム７２ａ、７２ｂ又は双方が弾性変形して、これら半球状突起８６ａ、８６ｂと回動抑制突起７６ａ、７６ｂとが互いに弾性摺接する位置関係を有して設けられている。
【００４１】
かかる構成部材を備えてなる灰皿５の受皿部材４への組み付けは以下の手順で行われる。まず、灰皿収容部５０の裏面側に突設したバネ軸５８の外周部にコイルバネ９０を遊挿し、このコイルバネ９０を介設するようにバネ軸５８を軸支部材７０のバネ軸挿通部７４に挿通させると同時に、左右の案内軸５７ａ、５７ｂを案内軸挿通部７３ａ、７３ｂに挿通させる。
【００４２】
この状態からコイルバネ９０を圧縮させるように軸支部材７０を押圧すると、その基板部７１が一対の規制爪５９ａ、５９ｂの間に挟まれる位置でこれらに当接する。更に軸支部材７０を押圧すると、基板部７１が規制爪５９ａ、５９ｂに弾性摺接して拡開させ、基板部７１が当該爪部を過ぎたところで規制爪５９ａ、５９ｂが元の状態に弾性復帰する。これにより、軸支部材７０は灰皿収容部５０に対し、案内軸５７ａ、５７ｂの軸方向（つまり軸アーム７２ａ、７２ｂの長手方向）に沿う方向であって、基板部７１が嵌挿された規制爪５９ａ、５９ｂの爪部との背面部５１とにより規制されるストロークで往復移動可能に取り付けられる。
【００４３】
また、軸支部材７０は、圧縮状態に介設されたコイルバネ９０により常に後方へ付勢されるため、規制爪５９ａ、５９ｂに基板部７１が当接する後方位置に保持される。このとき、灰皿収容部５０の軸アーム収容孔５４ａ、５４ｂには、軸支部材７０の左右の軸アーム７２ａ、７２ｂが外側から配置され、それら先端部の支軸７５ａ、７５ｂが灰皿収容部５０内に突出した状態となる。
【００４４】
次いで、灰皿収容部５０に灰皿本体６０を挿入し、軸受部６４ａ、６４ｂと支軸７５ａ、７５ｂとの位置を合わせながらこれらをスライド係合させる。そして、この状態を維持して、軸保持部材８０を灰皿本体６０の底部にネジ止めする。このとき、側板部８２ａ、８２ｂの係合溝８５ａ、８５ｂを灰皿本体６０の位置合せ突起６６ａ、６６ｂに係合させることで、軸保持部材８０を取り付ける際の前後の位置合わせが容易となる。そして、ネジ固定部８３を介して挿入したネジ９１を灰皿本体６０底部のネジ部に螺入緊締することにより、軸保持部材８０が灰皿本体６０に固定される。
【００４５】
こうして軸保持部材８０を灰皿本体６０に固定することにより、その側板部８２ａ、８２ｂが灰皿本体６０の各側壁部６３ａ、６３ｂに対しそれぞれ略密接するとともに、閉塞突起８４ａ、８４ｂが軸受部６４ａ、６４ｂの開口部を塞ぐ位置に配置される。これにより、軸支部材７０の支軸７５ａ、７５ｂが灰皿本体６０の軸受部６４ａ、６４ｂに支承された状態で外れ止めされ、これらの軸を中心に灰皿本体６０が灰皿収容部５０内で回動可能に取り付けられる。
【００４６】
このように、灰皿５は、工具等を使ってネジ９１を緩め、軸保持部材８０を灰皿本体６０から脱着排除させない限り、灰皿本体６０をスロットマシン１から取り外すことができない構造となっている。このため、従来のように支軸部材を変形させて灰皿を取り外すことができなくなり、灰皿５を不正なものに交換するといった悪質な行為を効果的に防止することができる。
【００４７】
こうして、灰皿５が受皿部材４に組み付けられることで、灰皿本体６０が灰皿収容部５０に略水平位置に保持され、安全に使用可能な状態となる。
【００４８】
ここで、図４は灰皿本体６０が灰皿収容部５０に収容された状態を示す灰皿５及びその近傍の平面図、図５は図４に示した受皿部材４の部分を後方から見た場合の背面図、図６は図５に示されるVI-VI'切断線位置での灰皿５及びその近傍の断面図、図７は図５に示されるVII-VII'切断線位置での灰皿５及びその近傍の断面図である。なお、これらの図は何れも灰皿５の使用時における状態を表している。
【００４９】
これらの図に示されるように、灰皿本体６０が灰皿収容部５０に収容された状態では、受皿部材４の上面部４１と灰皿本体６０の凹部６１開口縁とが同一面に位置し、また受皿部材４の前面部４２と灰皿本体６０の前壁部６２とが同一面をなしている。このため、通常の使用時等においては、これら部材が一体視され視覚的に統一感を与えるような美的外観が備えられている。
【００５０】
また、図７に示されるように、灰皿本体６０は、コイルバネ９０の付勢力により灰皿収容部５０内の背面部５１側に引き付けられ、その後端の被係止部６５がテーパ溝５５に挿入して係止部５６に係止しているとともに、その底部が灰皿収容部５０の背面部５１又は底面部５３に接触し得る位置関係にある。このため、灰皿本体６０は、回動その他の動作が規制された状態で灰皿収容部５０に収容保持されている。したがって、通常の使用時においては、遊技者が意図せずして手などの体の一部を灰皿本体６０に接触させたとしても、灰皿本体６０は回動せず、このため凹部６１に溜めた吸殻や灰などの内容物を周囲に飛散させるような事故を防止することができる。
【００５１】
次に、灰皿５において、凹部６１に溜めた吸殻や灰などを回収して清掃等の作業をする際の動作を説明する。ここで、図８はその動作を説明するための灰皿５及びその近傍の縦断面図、図９は灰皿５及びその近傍の外観斜視図、図１０は図４において示されたX-X'切断線位置での灰皿５及びその近傍の断面図である。
【００５２】
図８に示されるように、清掃等の作業を目的として灰皿本体６０を回動反転させるには、まず、コイルバネ９０の付勢力に抗して灰皿本体６０を若干（例えば３〜５ｍｍ）前方へ引き出すことにより、係止部５６と被係止部６５との係止状態を解除する。これにより、灰皿本体６０は回動操作が可能となるが、このとき、図９に示されるように凹部６１に溜めた灰などの内容物が零れない程度の所定角度（例えば５〜１５度）においては、軸保持部材８０の側板部８２ａ、８２ｂに形成した半球状突起８６ａ、８６ｂが軸アーム７２ａ、７２ｂの回動抑制突起７６ａ、７６ｂにそれぞれ当接する（図１０参照）。このため、灰皿本体６０は、この回動初期位置で回動動作が一旦、抑制される。
【００５３】
そして、更に若干の回動操作力を加えて灰皿本体６０を傾倒させると、これに連動して半球状突起８６ａ、８６ｂと回動抑制突起７６ａ、７６ｂが互いに弾性摺接する。そして、これら半球状突起８６ａ、８６ｂが回動抑制突起７６ａ、７６ｂを超えた位置に至ると、灰皿本体６０の回動が自在となる。したがって、この位置では、灰皿本体６０を適宜に反転させて、凹部６１に溜めたタバコの吸殻などの回収を容易に行うことが可能となる。
【００５４】
このように、灰皿本体６０の回動初期においてその動作を抑制する節度手段（半球状突起８６ａ、８６ｂ及び回動抑制突起７６ａ、７６ｂ）を設けたので、例えば清掃等の作業をするため作業者が灰皿本体６０を前方に引き出して係止状態を解除した後においても、意図して回動操作を与えなければ、かかる節度手段によって灰皿本体の回動が抑制される。これにより、作業時に誤って灰皿本体６０を反転させてしまうような事故を効果的に防止することができる。したがって、灰皿５の取り扱いを容易にし、清掃等の作業効率を向上させることができる。
【００５５】
また、清掃等の作業を行った後には、灰皿本体６０を逆方向に速やかに回動させ、節度手段が作用する位置で若干の押圧力を加えることにより、灰皿本体６０を略水平位置に戻すことができる。そして、灰皿本体６０は、コイルバネ９０の付勢力により自動的に灰皿収容部５０へ移動して収容される。したがって、灰皿本体６０を安全に使用できる元の位置に容易かつ速やかに復帰させることができる。
【００５６】
以上説明したように、例えばスロットマシン１に備えられる灰皿５によれば、タバコの吸殻や灰などを溜める凹部６１が形成された灰皿本体６０が、メダルを貯留する受皿部材４に形成した灰皿収容部５０内に回動可能に軸支されるとともに、通常の使用時等においては、灰皿収容部５０内に係止し回動が規制された状態に保持されている。これにより、遊技者等が灰皿本体６０に誤って触れたとしても、灰皿本体６０が回動して吸殻などが周囲に飛散するといった事故をなくすことができる。
【００５７】
また、灰皿５の清掃等の作業時には、灰皿本体６０を受皿部材４の灰皿収容部５０から前方に所定距離だけ引き出した後、若干の操作力を加えて回動反転させることにより、凹部６１に溜めた吸殻などの内容物を落下させて容易に回収することができる。
【００５８】
また、灰皿本体６０の回動動作を一旦抑制する節度手段を設けたことで、例えば清掃等の作業をするため作業者が灰皿本体６０の係止状態を解除した後でも誤って反転させてしまうといった事故を効果的に防止することができる。したがって、灰皿５の取り扱いを容易にし、清掃等の作業効率を向上させることができる。
【００５９】
また、灰皿５を清掃等した後には、灰皿本体６０を逆方向に回動させ、節度位置で若干の押圧力を加えるのみで灰皿本体６０を使用可能な元の水平位置に容易かつ速やかに復帰させることができる。
【００６０】
なお、灰皿本体６０の回動を抑制する節度手段は、半球状突起８６ａ、８６ｂ及び回動抑制突起７６ａ、７６ｂが互いに弾性摺接する実施例に限定されることはない。他に、例えば一方の側に凹溝を形成し、灰皿本体６０が水平ないしは若干傾斜する位置で前記凹溝に遊嵌する凸部を弾設した構造でもよい。
【００６１】
また、灰皿本体６０は、その底部に軸保持部材８０がネジ止めされることで、当該灰皿本体６０を回動可能に軸支する支軸７５ａ、７５ｂが外れ止めされている。すなわち、工具等を使わない限り、灰皿本体６０をスロットマシン１から取り外すことができなくなり、灰皿５に対する不正改造等の悪質な行為を効果的に防止することができる。
【００６２】
なお、灰皿本体６０の不正な取り外しを更に困難にするために、軸保持部材８０の固定位置を灰皿本体６０の後方側壁部にしてもよい。また、軸受部６４ａ、６４ｂの開口部を塞ぐための左右の閉塞突起８４ａ、８４ｂを分離した別個の部材でそれぞれ形成し、各部材を灰皿本体６０の所定位置にそれぞれ固定するものでもよい。
【００６３】
また、軸保持部材８０を灰皿本体６０に対し、いわゆる「嵌め殺し」の手段を介して内部的に係着させ脱着不能とする構造であってもよい。この場合、軸保持部材８０の係着部を破壊等しない限り、灰皿本体６０を取り外すことができなくなり、このため灰皿５に対する不正をより確実かつ効果的に防止することができる。
【産業上の利用可能性】
【００６４】
本発明は、タバコの吸殻等の回収や清掃作業の作業性を向上維持しつつ、なお不用意に灰皿を反転させてしまうような事故を効果的に防止するものであり、このような課題の解決が求められる例えばパチンコ等の一般的な遊技機の灰皿にも広く応用が期待できる。
【図面の簡単な説明】
【００６５】
【図１】本発明に関わる遊技機の実施形態であるスロットマシンの外観斜視図である。
【図２】本発明の実施例による灰皿の斜め前方から見た場合の分解斜視図である。
【図３】本発明の実施例による灰皿の斜め後方から見た場合の分解斜視図である。
【図４】本発明の実施例による灰皿及びその近傍の平面図である。
【図５】図４に示した受皿部材部分の背面図である。
【図６】図５に示されるVI-VI'切断線位置での灰皿及びその近傍の断面図である。
【図７】図５に示されるVII-VII'切断線位置での灰皿及びその近傍の断面図である。
【図８】本発明の実施例による灰皿の動作を説明するための縦断面図である。
【図９】本発明の実施例による灰皿及びその近傍の外観斜視図である。
【図１０】図４に示されるX-X'切断線位置での灰皿及びその近傍の断面図である。
【符号の説明】
【００６６】
１…スロットマシン                      ２…前扉
３…筐体                                ４…受皿部材
５…灰皿                                ６ａ…上部ランプ
７ａ、７ｂ…放音部                      ８…画像表示部
９…中パネル                            ９ａ…表示窓
１０ａ、１０ｂ、１０ｃ…リール          １１…メダル投入部
１２…ベットボタン                      １３…スタートレバー
１４ａ、１４ｂ、１４ｃ…ストップボタン  １５…下パネル
１６…メダル払出口                      １７ａ、１７ｂ…放音部
４１…上面部                            ４２…前面部
５０…灰皿収容部                        ５１…背面部
５２ａ、５２ｂ…側面部                  ５３…底面部
５４ａ、５４ｂ…軸アーム収容孔          ５５…テーパ溝
５６…係止部                            ５７ａ、５７ｂ…案内軸
５８…バネ軸                            ５９ａ、５９ｂ…規制爪
６０…灰皿本体                          ６１…凹部
６２…前壁部                            ６３ａ、６３ｂ…側壁部
６４ａ、６４ｂ…軸受部                  ６５…被係止部
６６ａ、６６ｂ…位置合せ突起
７０…軸支部材                          ７１…基板部
７２ａ、７２ｂ…軸アーム                ７３ａ、７３ｂ…案内軸挿通部
７４…バネ軸挿通部                      ７５ａ、７５ｂ…支軸
７６ａ、７６ｂ…回動抑制突起            ７７…リブ
８０…軸保持部材                        ８１…基板部
８２ａ、８２ｂ…側板部                  ８３…ネジ固定部
８４ａ、８４ｂ…閉塞突起                ８５ａ、８５ｂ…係合溝
８６ａ、８６ｂ…半球状突起
９０…コイルバネ                        ９１…ネジ
【図１】
2008079811.tif 000003
【図２】
2008079811.tif 000004
【図３】
2008079811.tif 000005
【図４】
2008079811.tif 000006
【図５】
2008079811.tif 000007
【図６】
2008079811.tif 000008
【図７】
2008079811.tif 000009
【図８】
2008079811.tif 000010
【図９】
2008079811.tif 000011
【図１０】
2008079811.tif 000012